(57)【要約】【課題】鏡の汚れ防止シートの構造を簡単なものとすることができるとともに、汚れ防止シートの着脱操作を容易に行うことが可能なコンパクト容器を提供する。【解決手段】コンパクト容器１のヒンジ機構７は、容器本体３の周壁９の一部に形成されるヒンジ用切り欠き部７ａと、蓋体５に形成されヒンジ用切り欠き部に回動自在に設けられるヒンジ片７ｃとを有し、鏡の汚れ防止シート１３は、容器本体の上面に載置されて化粧料収納部２を覆うシート本体部１３ａと、シート本体部の縁辺から突出され、ヒンジ用切り欠き部に係合されて鏡の汚れ防止シートの位置ずれを防止する係合片１３ｂとを有するとともに、係合片とヒンジ片との間に、蓋体を開放する際、係合片に操作力を加えて、シート本体部を容器本体の上面から浮上させる浮上手段１４とを備える。【選択図】図３
2006217961.tif 000002
【特許請求の範囲】
【請求項１】
化粧料収納部を有する容器本体と、該容器本体をヒンジ機構により開閉する蓋体と、該蓋体の内側面に設けられる鏡と、上記容器本体と上記蓋体との間に着脱自在に挟み込まれて化粧料の飛散による上記鏡の汚損を防止する鏡の汚れ防止シートとを備え、
上記ヒンジ機構は、上記容器本体の周壁の一部に形成されるヒンジ用切り欠き部と、上記蓋体に形成され該ヒンジ用切り欠き部に回動自在に設けられるヒンジ片とを有し、
上記鏡の汚れ防止シートは、上記容器本体の上面に載置されて上記化粧料収納部を覆うシート本体部と、該シート本体部の縁辺から突出され、上記ヒンジ用切り欠き部に係合されて上記鏡の汚れ防止シートの位置ずれを防止する係合片とを有するとともに、
上記係合片と上記ヒンジ片との間に、上記蓋体を開放する際、上記係合片に操作力を加えて、上記シート本体部を上記容器本体の上面から浮上させる浮上手段とを備えることを特徴とするコンパクト容器。
【発明の詳細な説明】
【技術分野】
【０００１】
本発明は、鏡の汚れ防止シートの構造を簡単なものとすることができるとともに、鏡の汚れ防止シートの着脱操作を容易に行うことが可能なコンパクト容器に関する。
【背景技術】
【０００２】
容器本体に収容された化粧料の飛散や、その飛散した化粧料による、蓋体に設けられた鏡の汚れを防止するための汚れ防止シートを備えたコンパクト容器に関する技術として、例えば特許文献１および２に開示されたものが知られている。
【０００３】
特許文献１に開示されているコンパクト容器は、化粧料が収納される容器本体の周壁の一部に固定された取付部材に、弾性反転ヒンジを介して化粧料の上面を覆う、汚れ防止シートに相当する透明薄板が付設されている。コンパクト容器を使用する際には、透明薄板を、化粧料の上面から容器本体の側方へ弾性反転させて覆いを外す。より具体的には、上記取り付け部材は、容器本体の周壁部に形成された嵌合凹部に嵌合・固着される断面Ｌ字状の固定部と、固定部の上端から外側へ突設された透明薄板の取付部とを備え、取付部の中程に上記弾性反転ヒンジが設けられ、取付部の先端に透明薄板の周縁部が取り付けられる。
【０００４】
特許文献２に開示されているコンパクト容器は、化粧料収納部を有する容器本体に、その厚さ方向に貫通する溝部が設けられている。上記化粧料収納部を覆う、汚れ防止シートに相当する保護シートは、上記溝部に収容される基部と、連結部を介して基部にヒンジ結合される平坦なシート部とを有している。コンパクト容器の非使用時、すなわち蓋体が容器本体を閉止した状態では、基部は溝部内に収容されており、シート部は基部に対し折曲されて化粧料収納部をぴったりと覆っている。蓋体を開放してコンパクト容器を使用する際には、基部そしてシート部が順次溝部から落下するが、シート部先端付近の左右縁辺に設けられた突起部が溝部の左右端縁に引っかかることによって係止される。従って、保護シートがコンパクト容器から完全に取り外されるのではなく容器本体に係止された形で維持されたまま、コンパクトを使用することになる。
【特許文献１】実公平７−１９３７６号公報
【特許文献２】実用新案登録第２５２４４０２号公報
【発明の開示】
【発明が解決しようとする課題】
【０００５】
ところで、上記特許文献１に開示された技術は、透明薄板が容器本体に対し着脱自在でなく固定的に取り付けられるて、使用時には化粧料収納部を開放するような構造であり、そのため部品点数が多くなってしまっている上に、構造も複雑となってしまっている。その結果、組み立て工程の複雑化や高コスト化を招いてしまうという課題があった。
【０００６】
また、上記特許文献２に開示された技術は、汚れ防止シートに相当する保護シートが、シート部と、基部と、これら両者を連結する連結部とからなる構造であり、やはり部品点数が多くなってしまっている上に、複雑な構成となってしまっている。その上、保護シートの着脱操作に非常に手間がかかるという課題があった。具体的には、使用者が保護シートを取り外す（離脱させる）には、まず化粧料収納部をぴったりと覆っている平坦なシート部を手指でつまみ上げ、これを直立させてから下方に、すなわち基部が収容されている溝部に向けて押し込むことにより、まず基部を溝部から下方へと押し出す。すると基部の重量によって、基部、そしてシート部が順次溝部から落下する。また、使用終了後に、化粧料収納部を保護シートにより閉止する（保護シートを装着する）操作は、以下のようになると思われる。すなわち、片手の手指で容器本体を保持しつつ、溝部の下方にぶら下がった状態の保護シートのシート部を他方の手指にて保持し、上方に押し上げて溝部よりも上方に突出させる。その後、何らかの手段によりこの突出状態を維持しながら、溝部の下方のシート部を保持していた手指を溝部の上方に突出したシート部の部分に持ち替えて、さらに上方に引っ張り上げる。そのまま、基部が溝部の内部に嵌合されるまで引っ張り上げることになるが、完全に上方まで引っ張り上げて嵌合させて、基部とシート部とをつなぐ連結部を溝部より上方まで突出させないと、シート部が連結部に対し折曲されて化粧料収納部を覆う元の状態、すなわち蓋体を閉止できる状態に戻らない。このように、保護シートの離脱操作・装着操作ともに、非常に手間がかかるものであった。
【０００７】
本発明は、上記従来の課題に鑑みて創案されたものであって、鏡の汚れ防止シートの構造を簡単なものとすることができるとともに、鏡の汚れ防止シートの着脱操作を容易に行うことが可能なコンパクト容器を提供することを目的とする。
【課題を解決するための手段】
【０００８】
本発明にかかるコンパクト容器は、化粧料収納部を有する容器本体と、該容器本体をヒンジ機構により開閉する蓋体と、該蓋体の内側面に設けられる鏡と、上記容器本体と上記蓋体との間に着脱自在に挟み込まれて化粧料の飛散による上記鏡の汚損を防止する鏡の汚れ防止シートとを備え、上記ヒンジ機構は、上記容器本体の周壁の一部に形成されるヒンジ用切り欠き部と、上記蓋体に形成され該ヒンジ用切り欠き部に回動自在に設けられるヒンジ片とを有し、上記鏡の汚れ防止シートは、上記容器本体の上面に載置されて上記化粧料収納部を覆うシート本体部と、該シート本体部の縁辺から突出され、上記ヒンジ用切り欠き部に係合されて上記鏡の汚れ防止シートの位置ずれを防止する係合片とを有するとともに、上記係合片と上記ヒンジ片との間に、上記蓋体を開放する際、上記係合片に操作力を加えて、上記シート本体部を上記容器本体の上面から浮上させる浮上手段とを備えることを特徴とする。
【発明の効果】
【０００９】
本発明にかかるコンパクト容器にあっては、鏡の汚れ防止シートの構造を簡単なものとすることができるとともに、鏡の汚れ防止シートの着脱操作を容易に行うことが可能となる。
【発明を実施するための最良の形態】
【００１０】
以下に、本発明にかかるコンパクト容器の好適な一実施形態を、添付図面を参照して詳細に説明する。本実施形態にかかるコンパクト容器１は、図１〜図５に示すように、化粧料Ｐを収納する凹状の化粧料収納部２が形成された容器本体３と、内側に鏡４が設けられた蓋体５とから主に構成される。容器本体３の、化粧料収納部２よりも前端側には凹状の化粧用具収納部６が形成されており、例えばブラシＢなどの化粧用具がここに収納される。容器本体３と蓋体５とは、それぞれの後端側端部に設けられたヒンジ機構７により互いに回動自在に連結されており、蓋体５は、このヒンジ機構７により容器本体３を開閉する。また、ヒンジ機構７と反対側（前端側）の端部には、容器本体３と蓋体５との間に、フック機構８が設けられており、蓋体５はこのフック機構８により容器本体３に係脱自在に係合されて容器本体３の閉止状態を維持する。
【００１１】
本実施形態の容器本体３および蓋体５は、いずれも合成樹脂製であって、その平面形状は四隅が円弧をなす略矩形状である。容器本体３に形成された化粧料収納部２と化粧用具収納部６の平面形状も、同様に四隅が円弧をなす略矩形状である。また、容器本体３の上面、すなわち化粧料収納部２および化粧用具収納部６の外側を取り囲む四囲周壁９の上面と、化粧料収納部２と化粧用具収納部６との間を区画する隔壁１０の上面とは、互いに滑らかに連続され、全体として平坦な平面形状をなしている。
【００１２】
蓋体５の内側は、その中央部に設けられた鏡取り付け用凹部１１と、当該鏡取り付け用凹部１１の四方を囲繞する封止枠部１２とからなる。蓋体５を閉止した状態では、封止枠部１２の下面が、容器本体３の四囲周壁９上面にぴったりと当接することによって、化粧料収納部２および化粧用具収納部６を封止する。
【００１３】
フック機構８は、容器本体３の前端側四囲周壁９ａの中央付近に形成されたフック凹所８ａと、当該フック凹所８ａの後端側壁面に設けられたフック用突起８ｂと、蓋体５の前端側封止枠部１２ａから突出され上記フック用突起８ｂに係脱自在に係合されるフック部８ｃと、上記フック凹所８ａ内にスライド自在に設けられ、容器本体３の後端側に向かって押し込まれることにより蓋体５を押し上げ、フック部８ｃをフック用突起８ｂから離脱させるプッシュピース８ｄとから構成される。
【００１４】
ヒンジ機構７は、容器本体３の後端側四囲周壁９ｄの中央付近に形成されたヒンジ用切り欠き部７ａと、蓋体５の後端側封止枠部１２ｂから垂下されて形成されヒンジ用切り欠き部７ａ内に挿入されるヒンジ片７ｃと、左右の四囲周壁９ｂ、９ｃの外面から挿入されて後端側四囲周壁９内を貫通しヒンジ片７ｃに向かって挿入され、ヒンジ片７ｃを回動自在に連結するヒンジピン７ｂとから構成される。
【００１５】
蓋体５を閉止した状態では、容器本体３と蓋体５との間に、容器本体３の上面に載置されて化粧料収納部２を覆う鏡の汚れ防止シート（以下、汚れ防止シートという）１３が挟み込まれている。本実施形態の汚れ防止シート１３は、化粧料収納部２と化粧用具収納部６とをともに覆うのに十分な寸法を有する略矩形状の平坦なシート本体部１３ａと、シート本体部１３ａの後端側縁辺の中央付近から下方に突出された横長な略矩形状の係合片１３ｂとから構成される。この汚れ防止シート１３により、化粧料収納部２に収納された化粧料や、化粧用具収納部６に収納された化粧用具に付着した化粧料が飛散することによる鏡４の汚損が防止される。本実施形態では、シート本体部１３ａと係合片１３ｂとが互いに一体に、ポリプロピレンなどの合成樹脂を材料として成形される。
【００１６】
シート本体部１３ａと係合片１３ｂとは折り線１３ｃを中心に、互いの間の角度が９０度よりも若干大きくなるよう形成されている。蓋体５が閉止された状態では、係合片１３ｂがヒンジ用切り欠き部７ａの前端側壁面７ｄとヒンジ片７ｃとの間の隙間に挿入されることにより汚れ防止シート１３が係合されて、容器本体３に対して位置ずれしないように維持される。またそのとき、シート本体部１３ａは、容器本体３の上面と蓋体５の鏡取り付け用凹部１１との間に形成されるシート収納用空間Ｓに収納される。汚れ防止シート１３の位置ずれが防止される結果、蓋体５の閉止操作の際に、シート本体部１３ａの周縁部が本来の位置からずれて、容器本体３の四囲周壁９と蓋体５の封止枠部１２との間に挟み込まれてしまうことが確実に防止される。
【００１７】
汚れ防止シート１３は、蓋体５が閉止された状態では、図２および図４に示すように、シート本体部１３ａの全面が容器本体３の上面に載置され、化粧料収納部２および化粧用具収納部６の全体を覆っている。このとき、汚れ防止シート１３の、シート本体部１３ａと係合片１３ｂとを連結する部分である折り線１３ｃは、ヒンジ用切り欠き部７ａ前端側壁面７ｄの上側縁辺と重なり合っている。係合片１３ｂはシート本体部１３ａに対し９０度より若干大きい角度で突出しており、ヒンジ用切り欠き部７ａ内に挿入されているので、係合片１３ｂは鉛直下向きよりも若干、後端側（ヒンジピン７ｂ側）に向かって突出している。その結果、係合片１３ｂの下端はヒンジ用切り欠き部７ａの前端側壁面７ｄから距離ｄを隔てて（図４参照）離間している。
【００１８】
また、係合片１３ｂとヒンジ片７ｃとの間には、蓋体５の開放操作時に係合片１３ｂに操作力を加えてシート本体部１３ａを容器本体３の上面から浮上させる浮上手段１４が設けられている。本実施形態の浮上手段１４は、シート本体部１３ａから９０度よりも若干大きい角度で突出された汚れ防止シート１３の係合片１３ｂと、ヒンジ機構７の回動中心７ｆ（ヒンジピン７ｂの中心）から周縁までの長さ（径）が、反時計回り（図４、図５参照）に見て次第に増加する（拡径する）ような変形的な半円形状を有するヒンジ片下端部７ｅとから構成される。
【００１９】
上記のような形状を有するヒンジ片下端部７ｅにあっては、蓋体５の開放操作時におけるヒンジ片７ｃの回動に従って、ヒンジ片７ｃの回動中心７ｆから、ヒンジ片７ｃ周縁の係合片１３ｂに当接する箇所（以下、係合片操作部７ｇという）までの距離ｒが次第に増加する。別の言い方をすれば、蓋体５の開放操作にともなって係合片１３ｂが、ヒンジ片７ｃにより、次第にヒンジ用切り欠き部７ａの前端側壁面７ｄに接近する方向に押される。
【００２０】
本実施形態にあっては、蓋体５が閉止された状態では、ヒンジ片７ｃの回動中心７ｆから係合片操作部７ｇまでの距離ｒはｒ１であり（図４参照）、このｒが蓋体５の開放操作にともなって次第に、かつｒを回転角度θの関数と見ると１次関数的に増加し、蓋体５が完全に開放された状態では、ｒ＝ｒ２（ｒ２＞ｒ１）となる（図５参照）。なお、必ずしもこのような構成に限定されるものではなく、蓋体５が閉止された状態では、ヒンジ片７ｃの周縁が係合片１３ｂに当接しておらず離間しており、蓋体５の開放操作の途中から係合片１３ｂに当接し、押し始める構成としてもよい。また、回転開始前の径ｒ１に比して回転終了時の径ｒ２が適宜に大きければよいのであって、その途中の変化の様子は、必ずしもｒをθの関数と見たときに１次関数的に増加する必要はない。
【００２１】
次に、本実施形態のコンパクト容器１の作用について説明する。使用者がコンパクト容器１を使用する際には、まずプッシュピース８ｄを押し、フック機構８の係合を解除した後、蓋体５を、その前端側を保持しつつ持ち上げることにより開放する。その際、蓋体５のヒンジ片７ｃがヒンジピン７ｂを中心に回動し、最終的に蓋体５が完全に開放されて、図３および図５に示される状態となる。
【００２２】
その際、蓋体５およびヒンジ片７ｃが次第に回転するにともなって、シート本体部１３ａから９０度よりも若干大きい角度で突出された汚れ防止シート１３の係合片１３ｂと、上述のごとく変形的な半円形状を有するヒンジ片下端部７ｅとからなる浮上手段１４の作用により、ヒンジ片７ｃの係合片操作部７ｇから係合片１３ｂに操作力が加えられ、係合片１３ｂがヒンジ用切り欠き部７ａの前端側壁面７ｄに接近する方向へ次第に押される。このとき汚れ防止シート１３は、折り線１３ｃを中心に図３に示す矢印Ｙの様に回転し、その結果、シート本体部１３ａが折り線１３ｃ位置を基点として、容器本体３の上面から斜めに浮上される。ここで、シート本体部１３ａの後端側縁辺、すなわち折り線１３ｃの部分は、容器本体３の上面に当接したたままであり、シート本体部１３ａの前端側にゆけばゆくほど大きく容器本体３の上面から大きく浮上した状態となる。
【００２３】
蓋体５を完全に開放した後、使用者は、大きく浮上したシート本体部１３ａの前端付近を手指にて摘み、これを保持しつつ、係合片１３ｂをヒンジ用切り欠き部７ａから離脱させるべく汚れ防止シート１３を持ち上げて、汚れ防止シート１３をコンパクト容器１から取り外す（離脱させる）。
【００２４】
コンパクト容器１の使用終了後に、汚れ防止シート１３を元の位置に装着するには、手指にてシート本体部１３ａを保持しつつ、係合片１３ｂを、ヒンジ用切り欠き部７ａの前端側壁面７ｄとヒンジ片７ｃとの間に挿入する。本実施形態のように、蓋体５が開放された状態において、前端側壁面７ｄとヒンジ片７ｃとの間に十分な寸法の間隙Ｇが設けられている場合は、係合片１３ｂの下端部７ｅが、当該間隙Ｇ内を容易に通過し、汚れ防止シート１３の折り線１３ｃが容器本体３上面の後端側縁辺の部分に当接した状態、すなわち汚れ防止シート１３をコンパクト容器１から取り外す前と同一の状態（図３および図５）となるまで、汚れ防止シート１３が下降する。
【００２５】
次に蓋体５の閉止操作を行うにつれて、ヒンジ片７ｃが、開放操作時とは逆方向に回動する。その際、ヒンジ片７ｃの回動中心７ｆから係合片１３ｂ操作部７ｇまでの距離ｒが次第に減少し、他方、係合片１３ｂの下端とヒンジ用切り欠き部７ａの前端側壁面７ｄとの間の距離ｄは次第に増大し、最終的には図２および図４の状態へと戻る。
【００２６】
なお、蓋体５の開放状態において、ヒンジ用切り欠き部７ａの前端側壁面７ｄとヒンジ片７ｃとの間に、本実施形態のように十分な幅寸法を有する間隙Ｇが設けられていない場合は、係合片１３ｂを、当該間隙Ｇに挿入しても下方まで通過せず、係合片１３ｂの下端がヒンジ片７ｃの上に乗り上げた状態に止まることもある。しかしながら、その場合でも本実施形態と同様に、蓋体５の閉止操作を行えば、その途中で当該間隙Ｇが次第に幅広となり、係合片１３ｂの下端が当該間隙Ｇ内を通過し下降する。その後は本実施形態の場合と同様である。従ってこのような場合であっても、使用者が汚れ防止シート１３をコンパクト容器１に装着する操作は、本実施形態の場合とほぼ同様であり、特段困難であったり手順が複雑となるようなことは全くない。
【００２７】
以上説明したように、本実施形態にかかるコンパクト容器１にあっては、鏡４の汚れ防止シート１３を、化粧料収納部２を覆うシート本体部１３ａと、シート本体部１３ａの後端側縁辺から突出され、容器本体３のヒンジ用切り欠き部７ａに係合される係合片１３ｂとから構成することとしたので、汚れ防止シート１３の構造を、従来技術のように複数の部材が連結されて構成されるような場合に比して簡単なものとすることができる。
【００２８】
また、汚れ防止シート１３をコンパクト容器１から取り外す離脱操作の際、および汚れ防止シート１３を再び装着する操作の際には、単に、シート本体部１３ａを手指で保持しつつ係合片１３ｂをヒンジ用切り欠き部７ａから離脱させる、あるいはヒンジ用切り欠き部７ａに挿入して係合させるだけでよいので、汚れ防止シート１３の着脱操作を容易に行うことができる。
【００２９】
また、係合片１３ｂとヒンジ片７ｃとの間に設けられ、蓋体５を開放する際、係合片１３ｂに操作力を加えてシート本体部１３ａを容器本体３の上面から浮上させる浮上手段１４を備えることとしたので、蓋体５を単に通常通りの操作方法で開放するだけで、シート本体部１３ａが自動的に、容器本体３の上面から浮上する。その結果、当該シート本体部１３ａの浮上した部分を、手指にて摘むことによって、汚れ防止シート１３をコンパクト容器１から取り外す操作をより一層容易に行うことができる。
【００３０】
また、特に本実施形態にあっては、浮上手段１４として、シート本体部１３ａから９０度よりも若干大きい角度で突出された汚れ防止シート１３の係合片１３ｂと、ヒンジ機構７の回動中心７ｆ（ヒンジピン７ｂの中心）から周縁までの長さ（径）が、蓋体の開放操作にともなう回動につれて（図４、図５参照）次第に増加する（拡径する）ような変形的な半円形状を有するヒンジ片下端部７ｅとから構成することとした。その結果、非常に簡単な構成の浮上手段１４により、蓋体５の開放操作にともなうシート本体部１３ａの自動的な浮上を実現することが可能となった。
【００３１】
なお、上記実施形態にあっては、浮上手段１４が、シート本体部１３ａから９０度よりも若干大きい角度で突出された汚れ防止シート１３の係合片１３ｂと、ヒンジ機構７の回動中心７ｆから周縁までの長さ（径）が、次第に増加する（拡径する）ような変形的な半円形状を有するヒンジ片下端部７ｅとにより構成される場合を例示して説明したが、これに限定されるものではなく、例えばヒンジ片下端部７ｅの一部に突起を形成し、蓋体５の開放操作時に、ヒンジ片７ｃの回動にともなって当該突起が汚れ防止シート１３の係合片１３ｂの下端に係合されてこれを持ち上げるような構成としてもよい。この変形例の場合、汚れ防止シート１３のシート本体部１３ａと係合片１３ｂとの間の角度を、上記実施形態と同様、９０度よりも若干大きく形成することとすれば、係合片１３ｂの下端が蓋体５の閉止時においてヒンジ用切り欠き部７ａの前端側壁面７ｄから適宜に離間することとなるため、ヒンジ片７ｃ下端部７ｅの突起により係合させやすいので好ましい。あるいは、シート本体部１３ａと係合片１３ｂとの間の角度をほぼ９０度に形成してもよい。その場合は例えば、係合片１３ｂの下端から後端側（ヒンジピン７ｂ側）に突出する突片を設け、この突片とヒンジ片７ｃの突起とが互いに係合し合うような構成としてもよい。
【００３２】
この変形例の場合は、係合片１３ｂ自体がヒンジ片７ｃの突起により上方に持ち上げられる結果、シート本体部１３ａの後端側が、容器本体３上面から斜めに浮上される。従って、蓋体５が開放された状態において、シート本体部１３ａの前端縁は容器本体３の上面に載置されたままであり、シート本体部１３ａの後端側にゆけばゆくほど大きく容器本体３の上面より浮上することとなる。このような変形例の場合であっても、シート本体部１３ａが容器本体３の上面から浮上されて離間するため、その部分を手指にて摘むことが容易であり、汚れ防止シート１３の着脱操作を上記実施形態と同様、容易に行うことができる。また、汚れ防止シート１３の構造は上記実施形態とほぼ同様の非常に簡単なものとすることができる。
【図面の簡単な説明】
【００３３】
【図１】本発明にかかるコンパクト容器の一実施形態を示す分解斜視図である。
【図２】図１のコンパクト容器の、蓋体が容器本体を閉止した状態の断面図である。
【図３】図１のコンパクト容器の、蓋体が容器本体を開放した状態の断面図である。
【図４】図１のコンパクト容器の、蓋体が容器本体を閉止した状態の要部断面図である。
【図５】図１のコンパクト容器の、蓋体が容器本体を開放した状態の要部断面図である。
【符号の説明】
【００３４】
１  コンパクト容器
２  化粧料収納部
３  容器本体
４  鏡
５  蓋体
７  ヒンジ機構
７ａ  ヒンジ用切り欠き部
７ｃ  ヒンジ片
９  （四囲）周壁
１３  鏡の汚れ防止シート
１３ａ  シート本体部
１３ｂ  係合片
１４  浮上手段
【図１】
2006217961.tif 000003
【図２】
2006217961.tif 000004
【図３】
2006217961.tif 000005
【図４】
2006217961.tif 000006
【図５】
2006217961.tif 000007